(57)【要約】【課題】コピー印刷時に、ユーザーが意図したページ範囲ごとに印刷物に後処理をすることができる画像形成装置を提供する。【解決手段】  画像形成装置１００は、画像読取部１２と、記憶部１８と、制御部１７と、印刷部１５と、後処理部２とを備える。画像読取部１２は、原稿を読み取って、第１画像データを生成する。記憶部１８は、第１画像データを記憶する。制御部１７は、記憶部１８に記憶された第１画像データから特定画像を検出する。制御部１７は、特定画像に基づいてページ範囲単位で第１画像データの区分をする。制御部１７は、区分に基づいて複数のページ画像を分割して複数の第２画像データを生成する。制御部１７は、複数の第２画像データに基づいて印刷情報を作成する。印刷部１５は、印刷情報に基づいて、印刷物を印刷する。後処理部２は、第２画像データごとに、印刷物に後処理を行う。【選択図】図５
2020120146.tif 000002
【特許請求の範囲】
【請求項１】
複数のページ画像を示す原稿を読み取って、前記複数のページ画像を示す第１画像データを生成する画像読取部と、
前記第１画像データを記憶する記憶部と、
前記記憶部に記憶された前記第１画像データから特定画像を検出し、前記特定画像に基づいてページ範囲単位で前記第１画像データの区分をし、前記区分に基づいて前記複数のページ画像を分割して複数の第２画像データを生成し、前記複数の第２画像データに基づいて印刷情報を作成する制御部と、
前記印刷情報に基づいて、印刷物を印刷する印刷部と、
前記第２画像データごとに、前記印刷物に後処理を行う後処理部と
を備える画像形成装置。
【請求項２】
前記後処理は、ステープル処理、穿孔処理、及び折り曲げ処理の少なくとも１つを含む、請求項１に記載の画像形成装置。
【請求項３】
前記特定画像は、白紙画像であり、
前記制御部は、前記第１画像データから前記白紙画像を検出した後、前記複数のページ画像を分割する際に、前記白紙画像を有するページ画像を削除する、請求項１又は請求項２に記載の画像形成装置。
【請求項４】
前記特定画像は、前記後処理の種類を示すパターンマークを含み、
前記制御部は、前記パターンマークに基づいて前記後処理の種類を判定し、
前記後処理部は、前記制御部が判定した前記後処理の種類に応じて、前記後処理を行う、請求項１又は請求項２に記載の画像形成装置。
【請求項５】
前記制御部は、前記特定画像に基づいて前記第２画像データごとに後処理対象であるか否かを判定し、
前記後処理部は、前記制御部が前記後処理対象であると判定した前記第２画像データごとに、前記後処理を行う、請求項４に記載の画像形成装置。
【請求項６】
表示部を更に備え、
前記制御部は、
前記複数の第２画像データのそれぞれのページ範囲のうちの少なくとも１つが、予め設定された制限範囲内であるか否かを判定し、
前記ページ範囲のうちの少なくとも１つが前記制限範囲内でないと判定した場合、前記ページ範囲のうちの少なくとも１つが前記制限範囲内でないことを通知する警告画面を前記表示部に表示させる、請求項１〜請求項５のいずれか１項に記載の画像形成装置。
【請求項７】
前記後処理は、前記ステープル処理を含み、
前記後処理部は、ステープル部を有し、
前記ステープル部は、
ステープル針によって前記印刷物を綴じるステープラーと、
前記ステープル針の残量を検知するステープル針検知部と
を備え、
前記制御部は、前記ステープル針検知部の出力に基づいて、前記ステープル針が無いと判定した場合、前記印刷部の印刷を停止させる、請求項１〜請求項６のいずれか１項に記載の画像形成装置。
【請求項８】
操作ボタンを有する操作受付部を更に備え、
前記制御部は、前記操作ボタンが押されたことに応じて、前記区分をする、請求項１〜請求項７のいずれか１項に記載の画像形成装置。
【請求項９】
画像形成装置との間でデータ通信を行う通信部と、
前記画像形成装置を制御するためのプログラムであるプリンタードライバーに従い、前記画像形成装置に複数のページ画像を含む原稿を印刷させる印刷ジョブを生成する制御部と、
表示部と
を備え、
前記プリンタードライバーは、
前記複数のページ画像のうち少なくとも１つのページ画像に特定画像を付するか否かを設定する画面を前記表示部に表示し、
前記特定画像を付する指示がされた場合、前記指示に応じて、前記特定画像が付された前記ページ画像を含む前記複数のページ画像を示す画像データを生成し、前記画像データを含む印刷ジョブを生成し、前記通信部を介して、前記印刷ジョブを前記画像形成装置に送信する、情報処理装置。
【発明の詳細な説明】
【技術分野】
【０００１】
本発明は、画像形成装置、及び情報処理装置に関する。
【背景技術】
【０００２】
特許文献１に開示の印刷システムでは、クライアントＰＣは、ユーザーによる入力作業によって作成された印刷ジョブを、ネットワークを介してプリントサーバーへ送信する。印刷ジョブは、印刷用データと、ステープル設定とを含む。ステープル設定は、ユーザーが指定したページ範囲ごとにステープル処理を適用する設定である。プリントサーバーは、ネットワークを介して印刷ジョブをプリンターに転送する。プリンターは、プリントサーバーから送信された印刷ジョブに基づいて印刷を実行する。また、プリンターは、印刷物に対して、ステープル処理をする。
【０００３】
つまり、特許文献１に開示の印刷システムは、印刷用データに基づく印刷時に、ユーザーが意図したページ範囲ごとに印刷物にステープル処理をする。
【先行技術文献】
【特許文献】
【０００４】
【特許文献１】特開２０１４−１７８９９１号公報
【発明の概要】
【発明が解決しようとする課題】
【０００５】
しかしながら、特許文献１は、コピー印刷について何ら開示していない。そのため、特許文献１に開示の印刷システムでは、コピー印刷時に、ユーザーが意図したページ範囲ごとに印刷物にステープル処理をすることができない。
【０００６】
そこで、本発明は、上記課題に鑑み、コピー印刷時に、ユーザーが意図したページ範囲ごとに印刷物に後処理をすることができる画像形成装置、及び情報処理装置を提供することを目的とする。
【課題を解決するための手段】
【０００７】
本発明の画像形成装置は、画像読取部と、記憶部と、制御部と、印刷部と、後処理部とを備える。前記画像読取部は、複数のページ画像を示す原稿を読み取って、前記複数のページ画像を示す第１画像データを生成する。前記記憶部は、前記第１画像データを記憶する。前記制御部は、前記記憶部に記憶された前記第１画像データから特定画像を検出する。前記制御部は、前記特定画像に基づいてページ範囲単位で前記第１画像データの区分をする。前記制御部は、前記区分に基づいて前記複数のページ画像を分割して複数の第２画像データを生成する。前記制御部は、前記複数の第２画像データに基づいて印刷情報を作成する。前記印刷部は、前記印刷情報に基づいて、印刷物を印刷する。前記後処理部は、前記第２画像データごとに、前記印刷物に後処理を行う。
【０００８】
本発明の情報処理装置は、通信部と、制御部と、表示部とを備える。前記通信部は、画像形成装置との間でデータ通信を行う。前記制御部は、前記画像形成装置を制御するためのプログラムであるプリンタードライバーに従い、前記画像形成装置に複数のページ画像を含む原稿を印刷させる印刷ジョブを生成する。前記プリンタードライバーは、前記複数のページ画像のうち少なくとも１つのページ画像に特定画像を付するか否かを設定する画面を前記表示部に表示する。前記プリンタードライバーは、前記特定画像を付する指示がされた場合、前記指示に応じて、前記特定画像が付された前記ページ画像を含む前記複数のページ画像を示す画像データを生成する。前記プリンタードライバーは、前記画像データを含む印刷ジョブを生成する。前記プリンタードライバーは、前記通信部を介して、前記印刷ジョブを前記画像形成装置に送信する。
【発明の効果】
【０００９】
本発明の画像形成装置、及び情報処理装置によれば、コピー印刷時に、ユーザーが意図したページ範囲ごとに印刷物に後処理をすることができる。
【図面の簡単な説明】
【００１０】
【図１】本発明の実施形態１に係る画像形成装置の構成を示す図である。
【図２】本発明の実施形態１に係る画像形成装置本体の構成を示す図である。
【図３】本発明の実施形態１に係る後処理部の構成を示す図である。
【図４】本発明の実施形態１に係る画像形成装置の構成を示すブロック図である。
【図５】本発明の実施形態１に係る画像形成装置の第１制御部が実行する処理を示すフローチャートである。
【図６】本発明の実施形態１に係る画像形成装置の第１制御部が実行する処理を示すフローチャートである。
【図７】本発明の実施形態１に係る画像形成装置の第１制御部が実行する処理を示すフローチャートである。
【図８】本発明の実施形態２に係る画像形成装置の第１制御部が実行する処理を示すフローチャートである。
【図９】本発明の実施形態３に係る画像形成装置の構成を示すブロック図である。
【図１０】本発明の実施形態３に係る画像形成装置の第１制御部が実行する読取処理を示すフローチャートである。
【図１１】本発明の実施形態３に係る画像形成装置の第１制御部が実行する印刷処理を示すフローチャートである。
【図１２】本発明の実施形態３に係る画像形成装置の第１制御部が実行する印刷処理を示すフローチャートである。
【図１３】本発明の実施形態４に係る情報処理装置の構成を示すブロック図である。
【発明を実施するための形態】
【００１１】
以下、図面を参照して、本発明に係る画像形成装置、及び情報処理装置の実施形態について説明する。なお、図中、同一又は相当部分については同一の参照符号を付して説明を繰り返さない。
【００１２】
［実施形態１］
図１を参照して、実施形態１に係る画像形成装置１００について説明する。図１は、実施形態１に係る画像形成装置１００の構成を示す図である。
【００１３】
画像形成装置１００は、原稿Ｄを読み取って印刷物を印刷し、後処理を行う。原稿Ｄは、複数のページ画像を示す。複数のページ画像は、白紙画像を含む。白紙画像は、１枚の白紙原稿のページ画像を示す。画像形成装置１００は、原稿Ｄから読み取った白紙画像を基準に、後処理を行うページ範囲を検知する。例えば、ユーザーは、後処理を行いたいページ範囲ごとに原稿Ｄに白紙ページを挿入する。これにより、原稿Ｄは、後処理を行いたいページ範囲ごとに白紙画像を含む。その結果、画像形成装置１００は、後処理を行うページ範囲を検知し、ページ範囲ごとに印刷物に後処理を行う。白紙画像は、特定画像の一例である。以下、実施形態１に係る白紙画像を「白紙ページ画像」と記載する。後処理は、穿孔処理、ステープル処理、及び折り曲げ処理の少なくとも１つを含む。
【００１４】
図１に示すように、画像形成装置１００は、画像形成装置本体１と、後処理部２とを備える。後処理部２は、画像形成装置本体１に装着されている。
【００１５】
画像形成装置本体１は、シートＳに画像を形成する。これによって、印刷物が得られる。後処理部２は、印刷物に後処理を行う。
【００１６】
続いて、図２を参照して、画像形成装置本体１の構成について説明する。図２は、画像形成装置本体１の構成を示す図である。画像形成装置本体１は、操作受付部１１、画像読取部１２、第１搬送部１３、給紙部１４、印刷部１５、第１排出部１６、及び原稿搬送装置１９を備える。
【００１７】
操作受付部１１は、ユーザーからの指示を受け付ける。操作受付部１１は、第１表示部１１１及び操作ボタン１１２を含む。第１表示部１１１は、各種処理結果を表示する。操作ボタン１１２は、スタートボタン１１２ａ、モードボタン１１２ｂ、ステープル処理設定ボタン、穿孔処理設定ボタン、テンキー、及び矢印キーを含む。スタートボタン１１２ａは、画像形成装置１００に各種の機能（処理）を実行させるためのボタンである。モードボタン１１２ｂは、後処理仕分けモードのオンオフ設定の切り替えを受け付けるためのオンオフ設定ボタンである。後処理仕分けモードは、原稿Ｄを読み取って印刷物を印刷し、所望のページ範囲ごとに印刷物に後処理を行うモードである。ステープル処理設定ボタンは、ステープル処理のオンオフ設定の切り替えを受け付けるためのオンオフ設定ボタンである。穿孔処理設定ボタンは、穿孔処理のオンオフ設定の切り替えを受け付けるためのオンオフ設定ボタンである。テンキーは、数値を入力するためのボタンである。矢印キーは、選択対象を変更するためのボタンである。
【００１８】
画像読取部１２は、原稿搬送装置１９が搬送する複数のシートを順次読み取って、第１画像データを生成する。第１画像データは、原稿Ｄに含まれる複数のページ画像を示す。画像読取部１２は、例えばスキャナーである。
【００１９】
第１搬送部１３は、給紙部１４から第１排出部１６まで延在し、シートＳを搬送する。
【００２０】
給紙部１４は、シートＳを１枚ずつ第１搬送部１３へ給紙する。給紙部１４は、第１給紙部１４１、及び第２給紙部１４２を含む。
【００２１】
第１給紙部１４１は、４つの給紙カセット１４１ａ及び４つの第１給紙ローラー群１４１ｂを備える。各給紙カセット１４１ａは、複数枚のシートＳを収容可能である。各第１給紙ローラー群１４１ｂは、対応する給紙カセット１４１ａに設けられる。各第１給紙ローラー群１４１ｂは、対応する給紙カセット１４１ａに収容されているシートＳを１枚ずつ第１搬送部１３へ給紙する。
【００２２】
第２給紙部１４２は、手差しトレイ１４２ａ、及び第２給紙ローラー群１４２ｂを備える。手差しトレイ１４２ａには、複数枚のシートＳが載置され得る。第２給紙ローラー群１４２ｂは、手差しトレイ１４２ａに載置されているシートＳを１枚ずつ第１搬送部１３へ給紙する。
【００２３】
印刷部１５は、第１印刷情報又は第２印刷情報に基づいて、印刷物を印刷する。具体的に、印刷部１５は、給紙部１４から給紙されたシートＳに画像を形成する。第１印刷情報及び第２印刷情報については、後述する。
【００２４】
印刷部１５は、露光装置１５１、現像装置１５２、感光体ドラム１５３、転写装置１５４、及び定着装置１５５を備える。露光装置１５１は、画像データに基づいて感光体ドラム１５３にレーザー光を照射する。これにより、感光体ドラム１５３の表面に静電潜像が形成される。現像装置１５２は、感光体ドラム１５３にトナーを供給して静電潜像を現像する。この結果、感光体ドラム１５３の表面にトナー像が形成される。
【００２５】
転写装置１５４は、感光体ドラム１５３の表面に形成されたトナー像をシートＳに転写する。トナー像が転写されたシートＳは、第１搬送部１３によって定着装置１５５へ向けて搬送される。
【００２６】
定着装置１５５は、加熱部材１５５ａ及び加圧部材１５５ｂを備える。加熱部材１５５ａ及び加圧部材１５５ｂは互いに対向して配置され、定着ニップを形成する。転写装置１５４から搬送されたシートＳは、定着ニップを通過することにより加熱及び加圧される。この結果、トナー像がシートＳに定着する。シートＳは、第１搬送部１３によって第１排出部１６へ向けて搬送される。
【００２７】
第１排出部１６は、第１排出ローラー対１６１を有する。第１排出ローラー対１６１は、排出口１０ａを介して後処理部２へ向けてシートＳを搬送する。排出口１０ａは、画像形成装置本体１の筐体側面に形成される。
【００２８】
原稿搬送装置１９は、原稿載置トレイ１９１、原稿排出トレイ１９２、及び原稿搬送部１９３を備える。原稿搬送部１９３は、原稿載置トレイ１９１に載置された原稿Ｄに含まれる複数のシートを１枚ずつ原稿排出トレイ１９２まで搬送する。詳しくは、原稿搬送部１９３は、読取位置を経由して原稿排出トレイ１９２まで原稿Ｄを搬送する。読取位置は、原稿搬送装置１９によって搬送されている原稿Ｄのページ画像を画像読取部１２が読み取ることが可能な位置である。
【００２９】
続いて、図３に参照して、後処理部２の構成について説明する。図３は、後処理部２の構成を示す図である。
【００３０】
図３に示すように、後処理部２は、第２搬送部２０、穿孔装置２１、退避部２２、ステープル部２３、第２排出部２４、及び第３排出部２５を備える。
【００３１】
第２搬送部２０は、画像形成装置本体１から搬送されたシートＳを、穿孔装置２１を経由して第２排出部２４、又は第３排出部２５へ向けて搬送する。第２搬送部２０は、ステープル部２３によるステープル処理が実行される予定ではないシートＳを第２排出部２４へ向けて搬送する。また、第２搬送部２０は、ステープル部２３によるステープル処理が実行される予定のシートＳを、第３排出部２５へ向けて搬送する。
【００３２】
第２搬送部２０は、搬送ローラー対２０１を有する。搬送ローラー対２０１は、画像形成装置本体１から搬送されたシートＳを間欠的に穿孔装置２１へ搬送する。
【００３３】
穿孔装置２１は、搬送ローラー対２０１によるシートＳの間欠的な搬送に応じてシートＳを穿孔する。穿孔装置２１は、１枚のシートＳに穿孔処理を行う。
【００３４】
退避部２２は、ステープル部２３によってステープル処理が実行される予定のシートＳを一時的に退避させる。退避部２２は、ステープル部２３へのシートＳの搬送タイミングを制御する。
【００３５】
ステープル部２３は、複数枚のシートＳの束にステープル処理を実行する。
【００３６】
第２排出部２４は、第１排出ローラー対２４１及び第１排出トレイ２４２を備える。第１排出ローラー対２４１は、シートＳを第１排出トレイ２４２へ排出する。
【００３７】
第３排出部２５は、第２排出ローラー対２５１及び第２排出トレイ２５２を備える。第２排出ローラー対２５１は、ステープル部２３によってステープル処理が実行された複数枚のシートＳの束を第２排出トレイ２５２へ排出する。
【００３８】
続いて、図１〜図４を参照して、画像形成装置１００の構成について詳細に説明する。図４は、画像形成装置１００の構成を示すブロック図である。
【００３９】
図４に示すように、ステープル部２３は、ステープラー２３１及びステープル針検知部２３２を更に有する。ステープラー２３１は、印刷物にステープル針を打ち込み、ステープル針によって印刷物を綴じる。ステープル針検知部２３２は、ステープル針の残量を検知する。
【００４０】
図４に示すように、画像形成装置本体１は、第１制御部１７及び第１記憶部１８を更に備える。原稿搬送装置１９は、原稿検知部１９４を備える。後処理部２は、第２制御部２６、及び第２記憶部２７を更に備える。
【００４１】
原稿検知部１９４は、例えば、反射型フォトセンサーである。原稿検知部１９４は、原稿載置トレイ１９１に原稿Ｄがセットされているか否かを検知する。
【００４２】
第１制御部１７は、ＣＰＵ（Ｃｅｎｔｒａｌ  Ｐｒｏｃｅｓｓｉｎｇ  Ｕｎｉｔ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成される。第１制御部１７は、第１制御プログラムを実行することによって、画像形成装置本体１の各部の動作を制御する。第１制御部１７は、原稿検知部１９４の出力に基づいて、原稿載置トレイ１９１に原稿Ｄがセットされていないことを検知する。換言すると、原稿Ｄの読み取りが終了したことを検知する。第１制御部１７は、ステープル針検知部２３２の出力に基づいて、ステープル針が無くなったことを検知する。
【００４３】
第１記憶部１８は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。第１記憶部１８は、画像形成装置本体１の各部の動作を制御するための第１制御プログラムを記憶する。第１記憶部１８は、画像読取部１２から第１制御部１７に送信された第１画像データを記憶する。第１記憶部１８は、制限範囲を記憶する。制限範囲とは、ステープラー２３１がステープル針を打ち込みことができる印刷物の枚数を示す。ステープラー２３１がステープル針を打ち込みことができる印刷物の枚数は、ステープラー２３１の種類等に応じて適宜調整され得る。
【００４４】
第２制御部２６は、ＣＰＵによって構成される。第２制御部２６は、第２制御プログラムを実行することによって、後処理部２の各部の動作を制御する。第２制御部２６は、ステープル針検知部２３２の出力を、第１制御部１７に送信する。
【００４５】
第２記憶部２７は、ＨＤＤ、ＲＡＭ、及びＲＯＭによって構成される。第２記憶部２７は、後処理部２の動作を制御するための第２制御プログラムを記憶する。
【００４６】
次に、図１〜図６を参照して、第１制御部１７が実行する処理について説明する。図５及び図６は、実施形態１に係る画像形成装置１００の第１制御部１７が実行する処理を示すフローチャートである。図５及び図６に示す処理では、第１制御部１７は、第１画像データから白紙ページ画像（特定画像）を検出した場合、白紙ページ画像（特定画像）を基準に、第１画像データのうち後処理を行うページ範囲を指定する。図５及び図６に示す処理は、後処理仕分けモードがオンに設定された状態で、操作受付部１１がユーザーからコピー指令を受け付けることに応じてスタートする。具体的に、ユーザーが、モードボタン１１２ｂを押した後、スタートボタンを押し、画像形成装置１００が原稿Ｄに含まれるシートのすべてを読み取ったことにより、図５及び図６に示す処理はスタートする。
【００４７】
後処理仕分けモードがオンに設定された状態で、操作受付部１１がユーザーからコピー指令を受け付けると、原稿搬送装置１９が原稿Ｄに含まれる複数のシートを順次搬送し、画像読取部１２が、複数のシートを順次読み取って、第１画像データを生成する。画像読取部１２は、第１画像データを第１制御部１７に送信する。第１記憶部１８は、第１制御部１７に送信された第１画像データを記憶する。
【００４８】
ステップＳ１１０：第１制御部１７は、第１記憶部１８に記憶された第１画像データから白紙ページ画像（特定画像）を検出したか否かを判定する。第１記憶部１８に記憶された第１画像データから白紙ページ画像を検出したと第１制御部１７が判定した場合（ステップＳ１１０；Ｙｅｓ）、処理は、ステップＳ１２０へ進む。第１記憶部１８に記憶された第１画像データから白紙ページ画像を検出していないと第１制御部１７が判定した場合（ステップＳ１１０；Ｎｏ）、処理は、図６に示すステップＳ１１１へ進む。
【００４９】
ステップＳ１２０：第１制御部１７は、白紙ページ画像（特定画像）に基づいてページ範囲単位で第１画像データの区分をする。実施形態１では、白紙ページ画像がページ範囲の最終ページとなるように、第１制御部１７は第１画像データの区分をする。例えば、第１画像データが２枚の白紙ページ画像を含む場合、第１ページ範囲と、第２ページ範囲と、第３ページ範囲とに、第１制御部１７は、第１画像データの区分をする。第１ページ範囲は、第１画像データの最初のページのページ画像から１枚目の白紙ページ画像までのページ範囲を示す。第２ページ範囲は、１枚目の白紙ページ画像の次のページのページ画像から２枚目の白紙ページ画像までのページ範囲を示す。第３ページ範囲は、２枚目の白紙ページ画像の次のページのページ画像から第１画像データの最後のページのページ画像までのページ範囲を示す。処理は、ステップＳ１３０へ進む。
【００５０】
ステップＳ１３０：第１制御部１７は、ステップＳ１２０の処理の結果に基づいて、複数のページ画像を分割して複数の第２画像データを生成する。処理は、ステップＳ１４０へ進む。
【００５１】
ステップＳ１４０：第１制御部１７は、第２画像データから白紙ページ画像（特定画像）を削除する。処理は、ステップＳ１５０へ進む。
【００５２】
ステップＳ１５０：第１制御部１７は、複数の第２画像データのそれぞれのページ範囲のうちの少なくとも１つが、予め設定された制限範囲を越えるか否かを判定する。複数の第２画像データのそれぞれのページ範囲の全てが制限範囲を越えないと第１制御部１７が判定した場合（ステップＳ１５０；Ｎｏ）、処理は、ステップＳ１６０へ進む。複数の第２画像データのそれぞれのページ範囲のうちの少なくとも１つが制限範囲を越えると第１制御部１７が判定した場合（ステップＳ１５０；Ｙｅｓ）、処理は、ステップＳ１５１へ進む。
【００５３】
ステップＳ１６０：第１制御部１７は、複数の第２画像データに基づいて第１印刷情報を作成する。第１印刷情報は、複数の第２画像データ、及び印刷設定情報を含む。印刷設定情報は、部数を示す部数情報、片面印刷又は両面印刷を示す片面／両面情報、及び白黒又はカラーを示す白黒／カラー情報を含む。印刷設定情報は、ユーザーが操作受付部１１を操作して入力する。処理は、ステップＳ１７０へ進む。
【００５４】
ステップＳ１７０：第１制御部１７は、第１印刷情報に基づいて、印刷物を印刷させる。処理は、終了する。印刷物は、例えば、原稿Ｄが複数の第２画像データごとにユーザーに指定された部数コピーされたものである。
【００５５】
ステップＳ１１１：第１制御部１７は、第１画像データのページ範囲が制限範囲内であるか否かを判定する。第１画像データのページ範囲が制限範囲内であると第１制御部１７が判定した場合（ステップＳ１１１；Ｙｅｓ）、処理は、ステップＳ１１２へ進む。第１画像データが制限範囲内ではないと第１制御部１７が判定した場合（ステップＳ１１１；Ｎｏ）、処理は、ステップＳ１１４へ進む。
【００５６】
ステップＳ１１２：第１制御部１７は、第１画像データに基づいて、第２印刷情報を作成する。第２印刷情報は、第１画像データ、及び印刷設定情報を含む。処理は、ステップＳ１１３へ進む。
【００５７】
ステップＳ１１３：第１制御部１７は、第２印刷情報に基づいて、印刷物を印刷させる。処理は、終了する。印刷物は、例えば、原稿Ｄがユーザーに指定された部数コピーされたものである。
【００５８】
ステップＳ１１４：第１制御部１７は、第１警告画面を第１表示部１１１に表示させる。第１警告画面は、第１画像データのページ範囲が制限範囲内でないことを通知するメッセージを示す。処理は、終了する。
【００５９】
ステップＳ１５１：第１制御部１７は、第２警告画面を第１表示部１１１に表示させる。第２警告画面は、複数の第２画像データのそれぞれのページ範囲のうちの少なくとも１つが制限範囲内でないことを通知するメッセージを示す。処理は、終了する。
【００６０】
次に、図１〜図６を参照して、第２制御部２６が実行する処理について説明する。実施形態１では、後処理として、ステープル処理、及び穿孔処理が設定されている。
【００６１】
第１制御部１７は、第１印刷情報に基づいて印刷物を印刷する際、第２制御部２６に対して穿孔指令及び第１ステープル指令を送信する。穿孔指令は、排出口１０ａから順次排出されるシートＳの全てに穿孔処理を行うことを命じる指令である。第１ステープル指令は、複数の第２画像データの各々に対応する各印刷物に対し、各部ごとにステープル処理を行うことを命じる指令である。また、第１制御部１７は、第２印刷情報に基づいて印刷物を印刷する際、第２制御部２６に対して穿孔指令及び第２ステープル指令を送信する。第２ステープル指令は、第１画像データに対応する印刷物に対し、各部ごとにステープル処理を行うことを命じる指令である。
【００６２】
第２制御部２６は、穿孔指令及び第１ステープル指令を受信した場合、穿孔指令及び第１ステープル指令に基づいて、穿孔装置２１及びステープル部２３を制御する。その結果、穿孔装置２１が、排出口１０ａから順次排出されるシートＳの全てに穿孔処理を行う。また、ステープル部２３が、第２画像データごとに、各部の印刷物に対してステープル処理を行う。第２制御部２６は、穿孔指令及び第２ステープル指令を受信した場合、穿孔指令及び第２ステープル指令に基づいて、穿孔装置２１及びステープル部２３を制御する。その結果、穿孔装置２１が、排出口１０ａから順次排出されるシートＳの全てに穿孔処理を行う。また、ステープル部２３が、各部の印刷部に対してステープル処理を行う。
【００６３】
以上、図１〜図６を参照して説明したように、第１制御部１７は、第１記憶部１８に記憶された第１画像データから白紙ページ画像（特定画像）を検出する。第１制御部１７は、白紙ページ画像（特定画像）に基づいてページ範囲単位で第１画像データの区分をする。第１制御部１７は、当該区分に基づいて複数のページ画像を分割して複数の第２画像データを生成する。第１制御部１７は、複数の第２画像データに基づいて第１印刷情報を作成する。印刷部１５は、第１印刷情報に基づいて、印刷物を印刷する。後処理部２は、第２画像データごとに、印刷物に後処理を行う。このように、ユーザーは、後処理したいページ範囲ごとに原稿Ｄに白紙ページを含ませることで、コピー印刷時に、ユーザーが意図したページ範囲ごとに後処理をすることができる。そのため、ステープル処理を実行する前に、ステープル処理を実行したい印刷物ごと、又は部数ごとに印刷物を仕分ける必要はない。その結果、ユーザーの利便性が向上する。
【００６４】
特定画像は、白紙ページ画像である。これにより、第１制御部１７は、第１画像データから白紙ページ画像（特定画像）を検出した場合、白紙ページ画像（特定画像）を基準に、後処理を行うページ範囲を指定することができる。また、第１制御部１７は、第１画像データから白紙画像を検出した後、複数のページ画像を分割する際に、白紙画像を有するページ画像を削除する。これにより、印刷物は、ユーザーがコピー印刷をしたいページ画像のみを含むようになる。
【００６５】
第１制御部１７は、複数の第２画像データのそれぞれのページ範囲のうちの少なくとも１つが制限範囲内でないと判定した場合、第１警告画面を第１表示部１１１に表示させる。これにより、ユーザーは印刷物を印刷する前に、印刷物に後処理を実行することができないことを認知することができる。
【００６６】
なお、本実施形態において、画像形成装置１００は、ユーザーが意図したページ範囲ごとにステープル処理を行ったが、後処理として折り曲げ処理が設定されている場合、画像形成装置１００は、ユーザーが意図したページ範囲ごとに折り曲げ処理を行う。
【００６７】
次に、図１、図２、図４、及び図７を参照して、第１制御部１７が実行する処理について更に説明する。図７は、実施形態１に係る画像形成装置１００の第１制御部１７が実行する処理を示すフローチャートである。図７に示す処理は、第１制御部１７が、ステープル針検知部２３２の出力を第２制御部２６から受信したことに応じてスタートする。
【００６８】
ステップＳ２１０：第１制御部１７は、ステープル針検知部２３２の出力に基づいて、ステープル針が有るか否かを判定する。ステープル針が有ると第１制御部１７が判定した場合（ステップＳ２１０；Ｙｅｓ）、処理は、ステップＳ２２０へ進む。ステープル針が無いと第１制御部１７が判定した場合（ステップＳ２１０；Ｎｏ）、処理は、ステップＳ２１１へ進む。
【００６９】
ステップＳ２２０：第１制御部１７は、印刷物の印刷処理が終了したか否かを判定する。印刷物の印刷処理が終了したと第１制御部１７が判定した場合（ステップＳ２２０；Ｙｅｓ）、処理は、終了する。印刷物の印刷処理が終了していないと第１制御部１７が判定した場合（ステップＳ２２０；Ｎｏ）、処理は、ステップＳ２１０へ戻る。
【００７０】
ステップＳ２１１：第１制御部１７は、印刷処理を停止させる。処理は、ステップＳ２１２へ進む。
【００７１】
ステップＳ２１２：第１制御部１７は、第３警告画面を第１表示部１１１に表示させる。第３警告画面は、ステープル針がないことを通知するメッセージを示す。処理は、ステップＳ２１３に進む。
【００７２】
ステップＳ２１３：第１制御部１７は、ステープル針検知部２３２の出力に基づいて、ステープル針が補充されたか否かを判定する。ステープル針が補充されたと第１制御部１７が判定した場合（ステップＳ２１３；Ｙｅｓ）、処理はステップＳ２１４へ進む。ステープル針が補充されていないと第１制御部１７が判定した場合（ステップＳ２１３；Ｎｏ）、処理はステップＳ２１３へ戻る。つまり、ステープル針が補充されていないと第１制御部１７が判定した場合、ステープル針が補充されるまで、印刷処理は停止されたままである。
【００７３】
ステップＳ２１４：第１制御部１７は、印刷処理を再開させる。処理は、ステップＳ２２０に進む。
【００７４】
以上、図１、図２、図４、及び図７を参照して説明したように、第１制御部１７は、ステープル針検知部２３２の出力に基づいて、ステープル針が無いと判定した場合、印刷部１５の印刷を停止させる。これにより、印刷物にステープル処理をより確実に実行することができる。
【００７５】
なお、実施形態１では、白紙画像は白紙ページ画像であるが、本発明はこれに限定されない。例えば、白紙画像は、ページ画像のうちで特定の割合を占める白紙部分であってもよい。
【００７６】
［実施形態２］
以下、図１〜図４、及び図８を参照して、実施形態２に係る画像形成装置１００を説明する。
【００７７】
実施形態２に係る画像形成装置１００は、実施形態２に係る第１制御部１７が実行する処理が実施形態１に係る第１制御部１７が実行する処理と異なる点で、実施形態１に係る画像形成装置１００と異なる。
【００７８】
画像形成装置１００は、原稿Ｄを読み取って印刷物を印刷し、後処理を行う。原稿Ｄは、複数のページ画像を示す。複数のページ画像は、パターンマークを含むページ画像を含む。画像形成装置１００は、印刷物から読み取ったパターンマークを基準に後処理を行うページ範囲を検知する。更に、画像形成装置１００は、パターンマークから後処理の種類を特定する。例えば、ユーザーは、後処理を行いたいページ範囲の最初と最後のページ画像にパターンマークを記入する。これにより、画像形成装置１００は、後処理を行うページ範囲を検知するとともに後処理の種類を特定し、ページ範囲ごとに印刷物に後処理を行う。パターンマークは、後処理の種類を示す。実施形態２では、パターンマークは、ステープル指令を示す第１マーク、穿孔指令を示す第２マーク、及びステープル指令及び穿孔指令を示す第３マークを含む。第１マークは、例えば、「■Ｓ■」である。第２マークは、例えば、「■Ｐ■」である。第３マークは、例えば、「■ＳＰ■」である。パターンマークは、特定画像の一例である。
【００７９】
次に、図１〜図４、及び図８を参照して、第１制御部１７が実行する処理について説明する。図８は、実施形態２に係る画像形成装置１００の第１制御部１７が実行する処理を示すフローチャートである。図８に示す処理では、第１制御部１７は、第１画像データからパターンマークを検出した場合、パターンマークの種類に応じて後処理の種類を決定し、パターンマークを基準に、後処理を行うページ範囲を指定する。図８に示す処理は、後処理仕分けモードがオンに設定された状態で、操作受付部１１がユーザーからコピー指令を受け付けることに応じてスタートする。
【００８０】
ステップＳ３１０：第１制御部１７は、第１記憶部１８に記憶された第１画像データからパターンマーク（特定画像）を検出したか否かを判定する。第１記憶部１８に記憶された第１画像データからパターンマーク（特定画像）を検出したと第１制御部１７が判定した場合（ステップＳ３１０；Ｙｅｓ）、処理は、ステップＳ３２０へ進む。第１記憶部１８に記憶された第１画像データからパターンマーク（特定画像）を検出していないと第１制御部１７が判定した場合（ステップＳ３１０；Ｎｏ）、処理は、ステップＳ３１１へ進む。
【００８１】
ステップＳ３２０：第１制御部１７は、ステップＳ３１０の処理で検出したパターンマーク（特定画像）に基づいて後処理の種類を特定する。第１画像データに含まれるすべてのパターンマークから後処理の種類を特定すると、処理は、ステップＳ３３０に進む。
【００８２】
ステップＳ３３０：第１制御部１７は、パターンマーク（特定画像）に基づいてページ範囲単位で第１画像データの区分をする。実施形態２では、各区分の最初のページ画像と、最後のページ画像とが同じパターンマーク（特定画像）を含むように、第１制御部１７は、第１画像データの区分をする。処理は、ステップＳ３４０へ進む。
【００８３】
ステップＳ３４０：第１制御部１７は、ステップＳ３３０の処理の結果に基づいて複数のページ画像を分割して複数の第２画像データを生成する。処理は、ステップＳ３５０へ進む。
【００８４】
ステップＳ３５０：第１制御部１７は、複数の第２画像データのそれぞれのページ範囲のうちの少なくとも１つが制限範囲を越えるか否かを判定する。複数の第２画像データのそれぞれのページ範囲のうちの全てが制限範囲を越えないと第１制御部１７が判定した場合（ステップＳ３５０；Ｎｏ）、処理は、ステップＳ３６０へ進む。複数の第２画像データのそれぞれのページ範囲のうちの少なくとも１つが制限範囲を越えると第１制御部１７が判定した場合（ステップＳ３５０；Ｙｅｓ）、処理は、ステップＳ３５１へ進む。
【００８５】
ステップＳ３６０：第１制御部１７は、複数の第２画像データに基づいて、第１印刷情報を作成する。処理は、ステップＳ３７０へ進む。
【００８６】
ステップＳ３７０：第１制御部１７は、第１印刷情報に基づいて、印刷物を印刷させる。処理は、終了する。
【００８７】
ステップＳ３１１：第１制御部１７は、第１画像データに基づいて、第１画像データ単位で第２印刷情報を作成する。処理は、ステップＳ３１２へ進む。
【００８８】
ステップＳ３１２：第１制御部１７は、第２印刷情報に基づいて、印刷物を印刷させる。処理は、終了する。
【００８９】
ステップＳ３５１：第１制御部１７は、第２警告画面を第１表示部１１１に表示させる。処理は、終了する。
【００９０】
以上、図１〜図４、及び図８を参照して説明したように、特定画像は、パターンマークを含む。第１制御部１７は、パターンマークに基づいて後処理の種類を判定する。後処理部２は、第１制御部１７が判定した後処理の種類に応じて、後処理を行う。これにより、第１制御部１７は、第１画像データからパターンマークを検出した場合、パターンマークの種類に応じて後処理の種類を決定し、パターンマークを基準に、後処理を行うページ範囲を指定することができる。
【００９１】
第１制御部１７は、パターンマーク（特定画像）に基づいて第２画像データごとに後処理対象であるか否かを判定する。後処理部２は、第１制御部１７が後処理対象であると判定した第２画像データごとに、後処理を行う。これにより、原稿Ｄにパターンマークを付するだけで、第１制御部１７は、簡単に、後処理を行うページ範囲を特定し、後処理を実行させることができる。
【００９２】
［実施形態３］
以下、図１〜図３、及び図９〜図１２を参照して、実施形態３に係る画像形成装置１０１の構成を説明する。まず、図９を参照して、画像形成装置１０１の構成を説明する。図９は、実施形態３に係る画像形成装置１０１の構成を示すブロック図である。
【００９３】
実施形態３に係る画像形成装置１０１は、実施形態３に係る画像形成装置本体３の操作ボタン１１２がページ範囲指定ボタン１１２ｃを更に有する点で、実施形態１に係る画像形成装置１００と異なる。また、実施形態３に係る画像形成装置１０１は、実施形態３に係る第１制御部１７が実行する処理が実施形態１に係る第１制御部１７が実行する処理と異なる点で、実施形態１に係る画像形成装置１００と異なる。
【００９４】
ページ範囲指定ボタン１１２ｃは、画像読取部１２が原稿Ｄを読み取っている最中に押されることで、第１画像データの区分を指定するためのボタンである。ページ範囲指定ボタン１１２ｃは、操作ボタン１１２の一例である。
【００９５】
画像形成装置１０１は、原稿Ｄを読み取って、印刷物を印刷し、後処理を行う。実施形態３では、原稿Ｄを読み取っている最中にユーザーからページ範囲指定指令を操作受付部１１が受け付けることで、後処理を行いたいページ範囲を特定する。
【００９６】
次に、図１〜図３、図９、及び図１０を参照して、画像形成装置１０１の第１制御部１７が実行する処理について説明する。図１０は、実施形態３に係る画像形成装置１０１の第１制御部１７が実行する読取処理を示すフローチャートである。図１０に示す処理では、画像読取部１２が原稿Ｄを読み取っている最中にページ範囲指定指令を操作受付部１１が受け付けたタイミングを基準に、第１画像データを区分する。換言すると、原稿Ｄの読取中に、ユーザーがページ範囲指定ボタン１１２ｃを操作して、後処理を行うページ範囲を指定する。図１０に示す処理は、後処理仕分けモードがオンに設定された状態で、操作受付部１１がユーザーから読取命令を受け付けることに応じてスタートする。具体的に、ユーザーが、モードボタン１１２ｂを押した後、スタートボタンを押すことにより、図１０に示す処理はスタートする。
【００９７】
ステップＳ４１０：第１制御部１７は、画像読取部１２が原稿Ｄを読み取っている最中に、ページ範囲指定ボタン１１２ｃがユーザーによって押されたか否かを判定する。つまり、第１制御部１７は、画像読取部１２が原稿Ｄを読み取っている最中に、ページ範囲指定指令を操作受付部１１が受け付けたか否かを判定する。ページ範囲指定ボタン１１２ｃがユーザーにより押されたと第１制御部１７が判定した場合（ステップＳ４１０；Ｙｅｓ）、処理はステップＳ４２０に進む。ページ範囲指定ボタン１１２ｃがユーザーにより押されていないと第１制御部１７が判定した場合（ステップＳ４１０；Ｎｏ）、処理はステップＳ４３０に進む。
【００９８】
ステップＳ４２０：第１制御部１７は、区分け情報を取得する。第１記憶部１８は、第１制御部１７が取得した区分け情報を記憶する。区分け情報は、先頭ページ画像と、後尾ページ画像とに関する情報を示す。先頭ページ画像は、区分けの最初のページ画像を示す。具体的に、先頭ページ画像は、ステップＳ４１０の処理において、ページ範囲指定ボタン１１２ｃが（２Ｎ−１）回目に押された時点で画像読取部１２が読み取っているページ画像を示す。Ｎは１以上の整数を示す。後尾ページ画像は、区分けの最後のページ画像を示す。具体的に、後尾ページ画像は、ステップＳ４１０の処理において、ページ範囲指定ボタン１１２ｃが（２Ｎ）回目に押された時点で画像読取部１２が読み取っているページ画像を示す。処理はステップＳ４３０に進む。
【００９９】
ステップＳ４３０：第１制御部１７は、原稿検知部１９４の出力に基づいて、原稿Ｄをすべて読み取ったか否かを判定する。原稿Ｄをすべて読み取ったと第１制御部１７が判定した場合（ステップＳ４３０；Ｙｅｓ）、処理は終了する。原稿Ｄをすべて読み取っていないと第１制御部１７が判定した場合（ステップＳ４３０；Ｎｏ）、処理はステップＳ４１０に戻る。
【０１００】
次に、図１〜図３、図９、図１１及び図１２を参照して、画像形成装置１０１の第１制御部１７が実行する処理について説明する。図１１及び図１２は、実施形態３に係る画像形成装置１０１の第１制御部１７が実行する印刷処理を示すフローチャートである。図１１及び図１２に示す処理は、後処理仕分けモードがＯＮに設定された状態で、画像読取部１２が原稿Ｄをすべて読み取って、第１記憶部１８が第１画像データを記憶したことに応じてスタートする。
【０１０１】
ステップＳ５１０：第１制御部１７は、区分け情報が第１記憶部１８に記憶されているか否かを判定する。区分け情報が第１記憶部１８に記憶されていると第１制御部１７が判定した場合（ステップＳ５１０；Ｙｅｓ）、処理は、ステップＳ５２０へ進む。区分け情報が第１記憶部１８に記憶されていないと第１制御部１７が判定した場合（ステップＳ５１０；Ｎｏ）、処理は、図１２に示すステップＳ１１１へ進む。
【０１０２】
ステップＳ５２０：第１制御部１７は、第１記憶部１８に記憶された区分け情報に基づいてページ範囲単位で第１画像データの区分をする。処理は、ステップＳ１３０へ進む。
【０１０３】
なお、ステップＳ１３０、ステップＳ１５０、ステップＳ１６０、ステップＳ１７０、ステップＳ１１１、ステップＳ１１２、ステップＳ１１３、ステップＳ１１４、及びステップＳ１５１は、実施形態１のステップＳ１３０、ステップＳ１５０、ステップＳ１６０、ステップＳ１７０、ステップＳ１１１、ステップＳ１１２、ステップＳ１１３、ステップＳ１１４、及びステップＳ１５１で説明した処理と同じ処理を行う。
【０１０４】
以上、図１〜図３、図９〜図１２を参照して説明したように、第１制御部１７は、ページ範囲指定ボタン１１２ｃ（操作ボタン１１２）が押されたことに応じて、第１画像データの区分をする。これにより、第１制御部１７は、簡単に、後処理を行うページ範囲を特定し、後処理を実行させることができる。
【０１０５】
［実施形態４］
以下、図１３を参照して、実施形態４に係る情報処理装置４の構成を説明する。まず、図１３は、実施形態４に係る情報処理装置４の構成を示すブロック図である。
【０１０６】
実施形態４に係る情報処理装置４は、ネットワーク５を介して画像形成装置６と通信可能に接続されている。情報処理装置４は、ユーザーから印刷指令を受け付けると、印刷ジョブを画像形成装置６に送信する。
【０１０７】
画像形成装置６は、印刷ジョブに基づいて、シートＳに画像を形成する。画像形成装置６は、例えば、図１〜図４を参照して説明した画像形成装置１００と同様の構成を有する。
【０１０８】
印刷ジョブは、原稿Ｄの画像データと、制御コマンドとを含む。原稿Ｄの画像データは、複数のページ画像を含む。制御コマンドは、画像形成装置６に対して、原稿Ｄの画像データを、指定された印刷設定情報で印刷出力させる制御命令である。
【０１０９】
情報処理装置４は、通信部４０と、第３制御部４１と、第３記憶部４２と、第２表示部４３と、操作入力部４４とを備える。例えば、情報処理装置４は、汎用機、ＰＣ（Ｐｅｒｓｏｎａｌ  Ｃｏｍｐｕｔｅｒ）である。
【０１１０】
通信部４０は、ネットワーク５に接続される。通信部４０は、ネットワーク５を介して、画像形成装置６と通信する。
【０１１１】
第３制御部４１は、ＣＰＵ等によって構成される。第３制御部４１は、第３制御プログラムを実行することによって、情報処理装置４の各部の動作を制御する。
【０１１２】
第３記憶部４２は、ＨＤＤ、ＲＡＭ、及びＲＯＭによって構成される。第３記憶部４２は、情報処理装置４の各部の動作を制御するための第３制御プログラムを記憶する。第３制御プログラムは、プリンタードライバー、及び各種アプリケーションソフトを含む。プリンタードライバーは、画像形成装置６を制御するためのプログラムである。
【０１１３】
第２表示部４３は、各種情報を表示する。各種情報は、原稿Ｄを示す複数のページ画像のうち、少なくとも１つのページ画像にパターンマーク（特定画像）を付するか否かを設定する画面を含む。
【０１１４】
操作入力部４４は、例えば、ポインティングデバイス、キーボード、及びタッチパネルを含む。
【０１１５】
次に、図１３を参照して、プリンタードライバーについて説明する。プリンタードライバーは、例えば、ユーザーが、アプリケーションソフトを利用して原稿Ｄの画像データを作成し、アプリケーションソフトの印刷ボタンを押下することで、起動する。
【０１１６】
プリンタードライバーは、第２表示部４３を介してユーザーにユーザーインターフェイス画面を提示する。第２表示部４３には、プリンタードライバーの印刷設定画面が表示される。印刷設定画面は、印刷ジョブの制御コマンドの設定画面を示す。印刷設定画面は、原稿Ｄを示す複数のページ画像のうち、少なくとも１つのページ画像にパターンマーク（特定画像）を付するか否かを設定する画面を含む。
【０１１７】
パターンマーク（特定画像）を付する指示がユーザーによってされた場合、プリンタードライバーは、ユーザーの指示に応じて、パターンマーク（特定画像）が付されたページ画像を含む原稿Ｄの画像データを作成する。より詳しくは、プリンタードライバーは、原稿Ｄを示す複数のページ画像のうち、ユーザーが指定するページ画像に、ユーザーが指定する後処理の種類を示すパターンマーク（特定画像）を付して、原稿Ｄの画像データを更新する。
【０１１８】
次いで、プリンタードライバーは、印刷ジョブを生成する。次いで、プリンタードライバーは、通信部４０を介して、印刷ジョブを画像形成装置６に送信する。画像形成装置６は、印刷ジョブを受信すると、印刷物を印刷する。
【０１１９】
以上、図１３を参照して説明したように、実施形態４に係るプリンタードライバーは、複数のページ画像のうち少なくとも１つのページ画像にパターンマーク（特定画像）を付するか否かを設定する画面を第２表示部４３に表示する。プリンタードライバーは、特定画像を付する指示がされた場合、指示に応じて、特定画像が付されたページ画像を含む複数のページ画像を示す画像データを生成する。プリンタードライバーは、画像データを含む印刷ジョブを生成する。プリンタードライバーは、通信部４０を介して、印刷ジョブを画像形成装置６に送信する。これにより、パターンマーク（特定画像）を含む原稿Ｄを、簡単に作成することができる。
【０１２０】
なお、実施形態４では、特定画像はパターンマークであるが、本発明はこれに限定されない。例えば、特定画像は、白紙ページ画像であってもよい。
【０１２１】
以上、図面（図１〜図１３）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【産業上の利用可能性】
【０１２２】
本発明は、例えば、画像形成システム、情報処理装置、及び情報処理方法の分野に有用である。
【符号の説明】
【０１２３】
２        後処理部
１２      画像読取部
１５      印刷部
１７      制御部
１８      記憶部
１００    画像形成装置
【図１】
2020120146.tif 000003
【図２】
2020120146.tif 000004
【図３】
2020120146.tif 000005
【図４】
2020120146.tif 000006
【図５】
2020120146.tif 000007
【図６】
2020120146.tif 000008
【図７】
2020120146.tif 000009
【図８】
2020120146.tif 000010
【図９】
2020120146.tif 000011
【図１０】
2020120146.tif 000012
【図１１】
2020120146.tif 000013
【図１２】
2020120146.tif 000014
【図１３】
2020120146.tif 000015